(57)【要約】【課題】  撮像装置やパーソナルコンピュータ等の機器及びその操作を熟知していない使用者であっても、ケラレの無い画像を容易に撮影記録できる撮像装置を得る。【解決手段】  撮像素子と、撮像光学系と、補助光手段と、を有する撮像装置において、撮像光学系の一部による、補助光のケラレが発生した画像が得られたとき、トリミング或いは画像合成等の処理をおこなう撮像装置とする。【選択図】        図３
2005323142.tif 000002
【特許請求の範囲】
【請求項１】
被写体光を光電変換する撮像素子と、該撮像素子に被写体光を導く撮像光学系と、被写体に対し補助光を投光する補助光手段と、を有する撮像装置において、
前記撮像光学系の一部による、前記補助光のケラレが発生した画像が得られたとき、
前記画像に所定の処理をおこなうことを特徴とする撮像装置。
【請求項２】
前記撮像装置は、前記補助光のケラレの発生を検知するケラレ検知手段を有し、
前記ケラレ検知手段がケラレの発生を検知したとき、前記処理がおこなわれることを特徴とする請求項１に記載の撮像装置。
【請求項３】
前記処理は、前記ケラレが発生していない部分の画像をトリミングしたものであることを特徴とする請求項１又は２に記載の撮像装置。
【請求項４】
前記処理は、補助光を使用して得た画像と補助光を使用しないで得た画像の合成処理であることを特徴とする請求項１又は２に記載の撮像装置。
【請求項５】
前記撮像装置は、撮影した画像を記録する記憶手段を有し、
前記画像に所定の処理をおこなった後の画像を、前記記憶手段に記録することを特徴とする請求項１〜４のいずれか１項に記載の撮像装置。
【発明の詳細な説明】
【技術分野】
【０００１】
本発明は撮像装置、詳しくは、撮像素子と、補助光手段と、画像を記録する記憶手段を有した撮像装置に関するものである。
【背景技術】
【０００２】
従来より、カメラに代表される撮像装置においては、エレクトリックフラッシュ等の補助光手段を備えており、暗所における撮影を容易なものにしている。
【０００３】
一方、このフラッシュ等の補助光手段を使用した撮影においては、撮影条件によっては撮像装置本体から突出した撮像光学系を内包するレンズ鏡胴等により、補助光光束が遮られ、所謂ケラレが発生することが知られている。このケラレの発生は、特に広角系のレンズ使用時の近距離撮影においてより顕著となることが知られている。
【０００４】
このようなフラッシュ撮影時のケラレの問題に対し、種々の提案がなされている。
【０００５】
また、装着した撮影レンズから得られるレンズデータと予め書き込んであるカメラ内蔵フラッシュのデータからケラレの有無を演算で求め、この演算結果からケラレが生じると判断したときは、発光を禁止するカメラが開示されている（例えば、特許文献１参照）。
【特許文献１】特開２００１−１３５５９号公報
【発明の開示】
【発明が解決しようとする課題】
【０００６】
近年、フィルムを使用するカメラに換わり、被写体光を光電変換する撮像素子を用い、この撮像素子からの出力に所定の処理を施して画像データとし、この画像データを記憶媒体に記録させる、所謂デジタルカメラが一般的に使用されるようになった。
【０００７】
これらデジタルカメラは、小型化が急速に進むと共に、従来のフィルムを使用するカメラとは比較にならない程の近接撮影が可能となっている。更に、使用される撮像光学系がズームレンズの場合、広角時から全長の長くなるようなレンズ構成が採用されており、これらが相まって、上述のケラレの問題が、より発生しやすい状況となっている。
【０００８】
これに対し、上記特許文献１に記載のカメラは、フラッシュ発光を禁止することにより、色再現の低下だけでなく、手ぶれ等の問題を新たに発生させるものである。
【０００９】
一方、デジタルカメラの場合には、少々のケラレが発生しても必要な被写体部分がケラレていなければ、撮影後にトリミングして利用するという使用法も可能であり、撮影された画像データをパーソナルコンピュータ等に出力し、トリミング等の画像処理をおこないケラレ部を削除したオリジナルな画像を作成することができる。しかし、機器や操作を熟知していないと、意図するような画像を作成することは困難である。
【００１０】
本発明は、上記問題に鑑み、撮像装置やパーソナルコンピュータ等の機器及びその操作を熟知していない使用者であっても、ケラレの無い画像を容易に撮影記録できる撮像装置を得ることを目的とするものである。
【課題を解決するための手段】
【００１１】
上記の課題は、以下の構成で解決される。
【００１２】
１）  被写体光を光電変換する撮像素子と、該撮像素子に被写体光を導く撮像光学系と、被写体に対し補助光を投光する補助光手段と、を有する撮像装置において、前記撮像光学系の一部による、前記補助光のケラレが発生した画像が得られたとき、前記画像に所定の処理をおこなうことを特徴とする撮像装置。
【００１３】
２）  前記撮像装置は、前記補助光のケラレの発生を検知するケラレ検知手段を有し、前記ケラレ検知手段がケラレの発生を検知したとき、前記処理がおこなわれる１）の撮像装置。
【００１４】
３）  前記処理は、前記ケラレが発生していない部分の画像をトリミングしたものである１）又は２）の撮像装置。
【００１５】
４）  前記処理は、補助光を使用して得た画像と補助光を使用しないで得た画像の合成処理である１）又は２）の撮像装置。
【００１６】
５）  前記撮像装置は、撮影した画像を記録する記憶手段を有し、前記画像に所定の処理をおこなった後の画像を、前記記憶手段に記録する１）〜４）のいずれかの撮像装置。
【発明の効果】
【００１７】
上記１）〜５）の発明によれば、撮像装置やパーソナルコンピュータ等の機器及びその操作を熟知していない使用者であっても、ケラレの無い画像を容易に撮影記録できる撮像装置を得ることができるようになる。
【発明を実施するための最良の形態】
【００１８】
以下、実施の形態により本発明を詳しく説明するが、本発明はこれに限定されるものではない。
【００１９】
図１は、本発明に係る撮像装置の一例であるデジタルカメラの外観を示す図である。図１（ａ）はカメラ前面の斜視図、図１（ｂ）はカメラ背面の斜視図である。
【００２０】
図１（ａ）において、８１はズーム撮像光学系、８２はファインダ窓、８３はレリーズ釦、８４はフラッシュ発光部、８６は調光用センサ窓、８７はストラップ取り付け部、８８は外部入出力端子（例えば、ＵＳＢ端子）である。８９はレンズカバーであり、不使用時はズーム撮像光学系８１は沈胴する。
【００２１】
レリーズ釦８３はその１段の押し込み（以下、スイッチＳ１のＯＮと称す）によりカメラの撮影準備動作、即ち焦点合わせ動作や測光動作が行われ、その２段の押し込み（以下、スイッチＳ２のＯＮと称す）により撮影露光動作が行われる。
【００２２】
図１（ｂ）において、９１はファインダ接眼部、９２は赤と緑の表示ランプであり、ＡＦやＡＥの情報を、点灯もしくは点滅により撮影者に表示するものである。９３はズーム釦であり、ズームアップ、ズームダウンをおこなう釦である。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード用のスロットが備えられており、画像を記録するカード型の記録用メモリが挿脱可能になっている。
【００２３】
図２は、図１に示すデジタルカメラの内部構成を示す概略ブロック図である。同図を用い、内部構成について説明する。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００２４】
同図において、４０は各回路を制御するＣＰＵである。ズーム撮像光学系８１は、レンズ部１、絞りシャッターユニット２、赤外光カットフィルタとオプチカルローパスフィルタを積層した光学フィルタ３、第１モータ４、第２モータ５及び絞りシャッタアクチュエータで構成されている。
【００２５】
レンズ部１は、より詳しくは複数のレンズを有するレンズ系として構成されており、これら複数のレンズの光軸上の位置を第１モータ４を駆動することにより移動させ、変倍がおこなわれるようになっている。また、これら複数のレンズの内、フォーカシングに用られるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２６】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２７】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこない画像処理部１５へ出力する。
【００２８】
画像処理部１５では、タイミング制御回路１１からのＡ／Ｄ変換用クロックに基づき、入力された画像アナログ信号をＡ／Ｄ変換し、デジタル信号（以下、画素データと称す）に変換する。次に、画素データの黒レベル補正をおこなった後、ホワイトバランス（ＷＢ）の調整がおこなわれる。ホワイトバランスの調整はＣＰＵ４０から入力される変換係数によりおこなわれる。この変換係数は撮影画像毎に設定されるものである。更に、γ補正をおこなった後、画素データを画像メモリ１６に出力する。画像メモリ１６は、画像処理部１５から出力された画素データを記憶するメモリである。
【００２９】
ＶＲＡＭ１７は、画像表示部１００で表示する画像のバッファメモリであり、少なくとも画像表示部１００の画素数と表示に必要なビット数の積算値以上の記憶容量を有している。画像表示部１００には、例えばＬＣＤ、有機ＥＬ等の表示装置が用いられる。なお、使用される表示装置に応じ、ＶＲＡＭ１７と画像表示部１００の間に、画素データをＤ／Ａ変換するＤ／Ａ変換部が設けられる。
【００３０】
これにより、撮影時のフレーミング時には、所定時間間隔で撮像された画素データが画像メモリ１６に記憶されると共に、ＣＰＵ４０で所定の信号処理後にＶＲＡＭ１７へ転送され、画像表示部１００に表示がおこなわれ、被写体像を確認することができ、ファインダとして使用できる（スルー画像表示又はプレビュー画像表示と称す）ようになっている。
【００３１】
また、挿脱可能な画像記録用メモリカード５０に記録された撮影済みの画像は、ＣＰＵ内のカードに対応したインターフェイスを介しＣＰＵ４０へ転送され、ＣＰＵ４０で所定の信号処理後にＶＲＡＭ１７へ転送され、画像表示部１００に表示がおこなわれ、再生が可能となっている。
【００３２】
インターフェイス３２は、外部のパーソナルコンピュータ或いはプリンタと信号の授受をおこなうもので、外部入出力端子（例えばＵＳＢ端子）８８を介して、外部のパーソナルコンピュータ或いはプリンタへ送出したり、外部のパーソナルコンピュータ或いはプリンタよりデータを受け取ったりするものである。
【００３３】
フラッシュ制御回路２１は、フラッシュ発光部８４の発光を制御する回路である。フラッシュ制御回路２１は、ＣＰＵ４０により制御され、フラッシュ発光の有無、発光タイミング、発光用コンデンサへの充電等を制御しすると共に、調光用センサ２３に接続された調光回路２４から入力される発光停止信号に基づき発光を停止させるようになっている。
【００３４】
時計回路２５は、撮影された日時を管理するものであり、各部へ電源を供給する給電回路２７から電源供給を受けて作動するようにしてもよいが、図示しない別電源で作動させることが望ましい。
【００３５】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３６】
操作ＳＷ３０は、図１に示すレリーズ釦８３、ズーム釦９３、メニュー／セット釦９５等の各種操作釦によりＯＮ／ＯＦＦするスイッチ群である。この操作ＳＷ群３０のＯＮ／ＯＦの信号は、ＣＰＵ４０に送られ、ＣＰＵ４０はＯＮされた操作ＳＷに応じて各部の動作を制御することになる。
【００３７】
ＥＥＰＲＯＭ３１は、不揮発性のメモリであり、カメラの個々に異なる特性値を記憶させておくために用いられる。この個々に異なる特性値とは、例えばズーム撮像光学系８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３８】
なお、ＣＰＵ４０は、ＲＯＭ２０に格納されたソフトウェアに基づき、データの授受、各部のタイミング制御をおこなうのみならず、その他種々の機能をおこなうものとなっている。例えば、画像メモリ１６で得られた画素データに基づく撮影時の絞り値とシャッタ速度の露光条件の決定（ＡＥ機能）、フォーカシングレンズを小刻みに移動させ、それぞれで得られた画素データから画像データを生成し、この画像データに基づいて評価をおこない最適なフォーカシングレンズ位置の決定（ＡＦ機能）、メモリカード５０へ記録するために画素データから画像データを生成し圧縮する機能、メモリカード５０に記録された画像を画像表示部１００に表示するために、メモリカード５０に記録された画像データを、読み出し伸張する機能等を有するものである。
【００３９】
以上が、本発明に係る撮像装置の一例であるデジタルカメラの内部ブロック構成である。
【００４０】
なお、本発明の撮像装置の一例であるデジタルカメラは、静止画及び／又は動画撮影を行う撮影モード、撮影した画像を再生及び削除する再生モード、カメラ各機能の設定をおこなうセットアップモードを有している。本発明は、撮影モード時に関わるものである。
【００４１】
（第一の実施の形態）
以下、本発明の第一の実施の形態について説明する。
【００４２】
図３は、本発明に係る撮像装置の一例であるデジタルカメラの撮影モード時の概略動作を示すフローチャートである。なお、以下に示す動作は、図２に示す、ＲＯＭ２０及びＥＥＰＲＯＭ３１に格納されたソフトウェア及び定数に基づいて、ＣＰＵ４０が各部を制御しておこなわれる。以下、同図に従い説明する。
【００４３】
同図において、まずメインスイッチがＯＮされているか判断する（ステップＳ１０１）。メインスイッチがＯＮされていれば（ステップＳ１０１；Ｙｅｓ）、プレビュー画像表示をおこなう（ステップＳ１０２）。このプレビュー画像表示は上述したように、画像表示部１００（図２参照）に表示される。
【００４４】
この後、スイッチＳ１がＯＮされるのを待機する（ステップＳ１０３）。スイッチＳ１がＯＮされていない場合（ステップＳ１０３；Ｎｏ）には、Ｓ１０１〜Ｓ１０３のループに入り、ステップＳ１０１でメインスイッチがＯＦＦされない限り、プレビュー画像表示を続行する。
【００４５】
スイッチＳ１がＯＮされると（ステップＳ１０３；Ｙｅｓ）、ＡＥ・ＡＦ機能動作をおこなう（ステップＳ１０４）。このＡＥ・ＡＦ機能動作は、上述のように撮影時の絞り値とシャッタ速度及びフラッシュ発光が必要か、の露光条件の決定と、フォーカシングレンズを小刻みに移動させ、それぞれで得られた画素データから画像データを生成し、この画像データに基づいて評価をおこない最適なフォーカシングレンズ位置を決定するものである。
【００４６】
ＡＥ・ＡＦ機能動作終了後、補助光であるフラッシュを用いる撮影か否か、即ち、フラッシュ発光の必要な低輝度か又はフラッシュを強制発光させるモードかどうかの判断をおこなう（ステップＳ１０５）。この判断は、ステップＳ１０４においておこなったＡＥ機能動作とフラッシュモード設定の結果から判断される。補助光であるフラッシュ発光が必要な場合（ステップＳ１０５；Ｙｅｓ）は、ステップＳ１０４においておこなったＡＦ機能動作から被写体が所定の距離内にあるかどうか判断する（ステップＳ１０６）。
【００４７】
被写体距離が所定の距離内と判断された場合（ステップＳ１０６；Ｙｅｓ）は、フラッシュを使用しない定常光による画像を取得する（ステップＳ１０７）。次いで、補助光手段であるフラッシュ発光部をプリ発光させた画像を取得する（ステップＳ１０８）。このプリ発光は、被写体距離が近いため小ガイドナンバーでの発光でよい。
【００４８】
この後、ＣＰＵ４０（図２参照）は取得した２つの画像を比較し、２つの画像の所定の領域に大きな差があるかを判断する（ステップＳ１０９）。
【００４９】
図４は、被写体距離が所定の範囲か否かの判断に用いる予め用意されているテーブルの元になっているグラフの例である。同図は、横軸を被写体距離、縦軸を撮像光学系のズーム位置として、プリ発光させて画像を取得する所定の被写体距離領域Ｋと所定の距離範囲外の領域Ｎを示し、例えばカメラのＥＥＰＲＯＭ３１（図２参照）内にテーブル化して記憶されている。このテーブルは、カメラレイアウトから幾何学的な作図に基づいて作成しても良いし、実際に撮影したデータを元に作成したものであってもよい。このテーブルに基づいてプリ発光するか否かの判断をおこなう。なお、同図のＷはワイド端、Ｔはテレ端、Ｍ１〜Ｍ５は中間の焦点距離を示している。
【００５０】
図４に示すグラフ、即ちテーブルにおいて、例えば撮像光学系のズーム位置がＭ１であって、被写体距離が０．１２５ｍの場合はＫの領域となるため、所定の距離内と判断し、この時の定常光とフラッシュをプリ発光させて得た画像を取り込む。一方、例えば撮像光学系のズーム位置がＭ５であって、被写体距離が０．１ｍの場合はＮの領域となるため、所定の距離外と判断する。
【００５１】
即ち、プリ発光により画像を取り込むのは、近接撮影であって、フラッシュ発光をおこなう撮影条件の時である。このようにすることで、電源の無駄な消耗を防止することができる。
【００５２】
図５は、取り込まれた画像を示す模式図である。
【００５３】
同図において、フラッシュを使用しない定常光による画像及び、プリ発光させた画像であってもケラレが発生していない場合は、同図（ａ）に示すような画像が得られる。しかし、プリ発光させた画像にケラレが発生している場合は、同図（ｂ）に示すような、周辺部がつぶれて暗部となった画像が得られる。
【００５４】
即ち、ステップＳ１０９では、ＣＰＵ４０が２つの画像について全体、又はカメラレイアウトによりケラレが発生すると予想される一部の領域、本例では右下周辺領域を比較することで、ケラレの発生を検知することができる。この検知手段は、フラッシュの使用有無による２枚の画像比較となるため、被写界の輝度分布の影響を受けず、より信頼性のあるケラレ発生検知手段とすることができる。
【００５５】
図３に戻り、ステップＳ１０９でＣＰＵ４０が、２つの画像の所定の領域を比較し、プリ発光で取得した画像が暗部となっている場合（ステップＳ１０９；Ｙｅｓ）は、ケラレが発生すると判定する（ステップＳ１１０）。
【００５６】
なお、ステップＳ１０５で、フラッシュ撮影でないと判断された場合（ステップＳ１０５；Ｎｏ）と、ステップＳ１０６で被写体距離が所定値より遠い（図４のＮで示す領域）と判断された場合（ステップＳ１０６；Ｎｏ）は、ステップＳ１１１へジャンプする。また、ステップＳ１０９で比較する２つの画像の所定の領域に差が無いと判断された場合（ステップＳ１０９；Ｎｏ）も、ステップＳ１１１へジャンプする。即ち、このような場合は、定常光による画像及び、プリ発光させた画像の取得と、この画像を比較するケラレの発生検知はおこなわない。
【００５７】
次いで、ステップＳ１１１で再度スイッチＳ１がＯＮされているか判断する。スイッチＳ１がＯＦＦされている場合（ステップＳ１１１；Ｎｏ）は、ＡＥ・ＡＦ動作で蓄積した露出条件やベストフォーカシングレンズ位置のデータをクリアし、ステップＳ１０３へ戻る。
【００５８】
スイッチＳ１が引き続いてＯＮされている場合（ステップＳ１１１；Ｙｅｓ）は、スイッチＳ２がＯＮされるのを待機する（ステップＳ１１２）。スイッチＳ２がＯＮされる（ステップＳ１１２；Ｙｅｓ）と、撮影処理をおこなう（ステップＳ１１３）。この撮影処理は、ステップＳ１０４で決められたフォーカスレンズ位置、露光条件でおこなわれ、撮影画像が取り込まれる。この後、撮影した画素データに画像処理が施され（ステップＳ１１４）、画像データとされる。
【００５９】
この後、ケラレが発生すると判定されていたか否かを判断する（ステップＳ１１５）。これは、ステップＳ１１０でケラレが発生すると判定されたか否かを確認するものである。ＣＰＵ４０は、ケラレが発生すると判定されていた場合（ステップＳ１１５；Ｙｅｓ）は、撮影した画像データから、ケラレが発生していない部分のみをトリミングする（ステップＳ１１６）。即ち、ケラレが発生している部分が削除される。
【００６０】
図６は、撮影した画像から、ケラレが発生していない部分をトリミングした場合の模式図である。同図（ａ）は撮影した画像を示し、同図（ｂ）はトリミング後の画像を示している。同図に示すように、ケラレによる暗部Ｄが削除されるようトリミングされる。
【００６１】
図３に戻り、ステップＳ１１６でトリミングされた画像は、記録用メモリであるメモリカードに格納される（ステップＳ１１７）。一方、ケラレが発生しないと判定されていた場合（ステップＳ１１５；Ｎｏ）は、そのまま記録用メモリであるメモリカードに格納される（ステップＳ１１７）。
【００６２】
以上で１枚の画像の撮影が終了し、ステップＳ１０１へ戻る。
【００６３】
一方、ステップＳ１０１で、メインスイッチがＯＦＦされる（ステップＳ１０１；Ｎｏ）と、例えば撮影光学系の沈胴等の各部の終了動作（ステップＳ１２０）をおこなった後、終了する。
【００６４】
以上説明したように、補助光のケラレが発生した画像が得られたとき、撮影した画像にトリミング処理をおこない、このトリミングした画像を記憶手段であるメモリカードに記録するよう構成することで、撮像装置やパーソナルコンピュータ等の機器及びその操作を熟知していない使用者であっても、ケラレの無い画像として撮影記録できるようになる。
【００６５】
なお、上述のステップＳ１０７でのフラッシュを使用しない定常光による画像の取得は、プレビュー画像を用いてもよく、この場合はステップＳ１０７は省略できる。
【００６６】
また、ステップＳ１０５〜ステップＳ１１０で、補助光のケラレの発生を検知するケラレ検知手段を構成して、予めケラレの発生を検知するようにしたが必須のものではなく、ステップＳ１１３の撮影処理後の画素データもしくはステップＳ１１４の画像処理後のデータから、ケラレが発生しているか否か確認し、この結果により、トリミング処理をおこなうか否かを判断するよう構成してもよい。
【００６７】
（第二の実施の形態）
以下、本発明の第二の実施の形態について説明する。
【００６８】
図７は、本発明に係る撮像装置の一例であるデジタルカメラの撮影モード時の他の概略動作の例を示すフローチャートである。なお同様に、以下に示す動作は、図２に示す、ＲＯＭ２０及びＥＥＰＲＯＭ３１に格納されたソフトウェア及び定数に基づいて、ＣＰＵ４０が各部を制御しておこなわれる。また、本例は図３に示すフローチャートと同じ部分には同符号を付与して説明の重複を避け、異なる部分についてのみ説明する。
【００６９】
同図において、ステップＳ１０１〜ステップＳ１１２は、図３と同様である。ステップＳ１１２で、スイッチＳ２がＯＮされた場合（ステップＳ１１２；Ｙｅｓ）は、ケラレが発生すると判定されていたか否かを判断する（ステップＳ２０１）。これは、ステップＳ１１０でケラレが発生すると判定されたか否かを確認するものである。
【００７０】
ケラレが発生すると判定されていた場合（ステップＳ２０１；Ｙｅｓ）、ＣＰＵ４０は、撮影処理をおこなう（ステップＳ２０２）。このステップＳ２０２での撮影処理は、補助光であるフラッシュ光を使用した撮影と、フラッシュ光を使用しない定常光による撮影をおこない、２つの画像の画素データを取得するものである。次いでＣＰＵ４０は、この２つ画像の画素データを用い、フラッシュ光を使用して得られた画素データのうち、ケラレの発生している部分について、定常光で得た画素データと置き換えて、ケラレの無い画像の画素データに合成する（ステップＳ２０３）。
【００７１】
図８は、画像の合成の一例を示す概念図である。同図において、上述のステップ２０２で得られる画像は、同図（ａ）に示すフラッシュ光を使用して得られたケラレの発生している画像と、同図（ｂ）に示す定常光により得られた画像の２つの画像となる。
【００７２】
同図（ａ）に示す、ケラレの発生している画像から、同図（ｃ）に示すようにケラレていない部分を切り出す。一方、同図（ｂ）に示す定常光で得られた画像から、同図（ｄ）に示すように、トリミングにより削除された部分に相当する画像を切り出す。この、同図（ｃ）、（ｄ）に示す画像を合成し同図（ｅ）に示す、１枚の画像とする。
【００７３】
図７に戻り、合成されたケラレの無い画像の画素データに画像処理を施し、画像データとし（ステップＳ２０５）、記録用メモリであるメモリカードに記憶格納する（ステップＳ２０６）。
【００７４】
一方、ステップＳ２０１でケラレが発生しないと判定されていた場合（ステップＳ２０１；Ｎｏ）は、ステップＳ１０４のＡＥ機能動作時に決められた、撮影時のフラッシュ使用の有無及び絞り値とシャッタ速度の露光条件で通常の１枚の撮影処理がおこなわれ（ステップＳ２０４）、以下は同様にステップＳ２０５で画像処理をおこない、ステップＳ２０６で記録用メモリであるメモリカードに記憶格納される。
【００７５】
以上で１枚の画像の撮影が終了し、ステップＳ１０１へ戻る。
【００７６】
一方、ステップＳ１０１で、メインスイッチがＯＦＦされる（ステップＳ１０１；Ｎｏ）と、例えば撮影光学系の沈胴等の各部の終了動作（ステップＳ１２０）をおこなった後、終了する。
【００７７】
以上説明したように、補助光のケラレが発生した画像が得られるとき、補助光を使用して得た画像と補助光を使用しないで得た画像を合成し、１枚のケラレのない画像とし、この合成した画像を記憶手段であるメモリカードに記録するよう構成することで、撮像装置やパーソナルコンピュータ等の機器及びその操作を熟知していない使用者であっても、ケラレの無い画像として撮影記録できるようになる。
【図面の簡単な説明】
【００７８】
【図１】本発明に係る撮像装置の一例であるデジタルカメラの外観を示す図である。
【図２】図１に示すデジタルカメラの内部構成を示す概略ブロック図である。
【図３】本発明に係る撮像装置の一例であるデジタルカメラの撮影モード時の概略動作を示すフローチャートである。
【図４】被写体距離が所定の範囲か否かの判断に用いる予め用意されているテーブルの元になっているグラフの例である。
【図５】取り込まれた画像を示す模式図である。
【図６】撮影した画像から、ケラレが発生していない部分をトリミングした場合の模式図である。
【図７】本発明に係る撮像装置の一例であるデジタルカメラの撮影モード時の他の概略動作の例を示すフローチャートである。
【図８】画像の合成の一例を示す概念図である。
【符号の説明】
【００７９】
３１  ＥＥＰＲＯＭ
４０  ＣＰＵ
５０  メモリカード
８１  撮像光学系
８４  フラッシュ発光部
８３  レリーズ釦
１００  画像表示部
【図１】
2005323142.tif 000003
【図２】
2005323142.tif 000004
【図３】
2005323142.tif 000005
【図４】
2005323142.tif 000006
【図５】
2005323142.tif 000007
【図６】
2005323142.tif 000008
【図７】
2005323142.tif 000009
【図８】
2005323142.tif 000010